【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
コミュニケーション・ネットワークへのアクセスを制御するための方法であって、
コミュニケーション・ネットワークの視聴圏内に配置されるモバイル端末からコミュニケーション・ネットワークにアクセスするためのリクエストを受信するステップと、
セッションＩＤを、モバイル端末に関連する識別子と関連づけ、セッションＩＤをモバイル端末に関連する識別子にマップするデータを記憶するステップと、
セッションＩＤを含む、認証リクエストをコミュニケーション・ネットワークからコミュニケーション・ネットワークの外側の該当する認証サーバに送信するステップと、
モバイル端末に関する認証メッセージ（セッションＩＤを含む）を該当する認証サーバから前記コミュニケーション・ネットワーク内に受信するステップと、
記憶されたマッピング・データに応答し、受信された認証メッセージをモバイル端末に相関させるステップと、
受信された認証メッセージに応答し、モバイル端末からコミュニケーション・ネットワークへのアクセスを制御するステップと、から成る、前記方法。
【請求項２】
前記記憶するステップで、セッションＩＤをモバイル端末の媒体アクセス制御アドレスと関連づけ、セッションＩＤをモバイル端末の媒体アクセス制御アドレスにマップするデータを記憶する、請求項１記載の方法。
【請求項３】
前記記憶するステップで、セッションＩＤを、モバイル端末に関連するＩＰアドレスと関連づけ、セッションＩＤをモバイル端末に関連するＩＰアドレスにマップするデータを記憶する、請求項１記載の方法。
【請求項４】
セッションＩＤを含むリクエストをモバイル端末に送信するステップと、
モバイル端末から前記リクエストへの応答（その中に埋め込まれたセッションＩＤを含む）を受信し、認証モバイル端末用に認証サーバに該当するインジケータを受信するステップと、を更に含む、請求項１記載の方法。
【請求項５】
前記リクエストをモバイル端末に送信するステップで、モバイル端末が該当する認証サーバを選択することをリクエストするｗｅｂページを発生し、セッションＩＤをｗｅｂページ内に埋め込み、ｗｅｂページをモバイル端末に送信する、請求項４記載の方法。
【請求項６】
ＨＴＴＰＳセッションを開始するためにサブミット・ボタンに関連するＵＲＬ内にセッションＩＤが埋め込まれる、請求項５記載の方法。
【請求項７】
前記ＨＴＴＰＳセッションがモバイル端末と認証サーバとの間で開始されると、コミュニケーション・ネットワークと認証サーバとの間に通信環境を確立し、よって、認証サーバが認証メッセージをコミュニケーション・ネットワークに送信するステップを更に含む、請求項６記載の方法。
【請求項８】
前記コミュニケーション・ネットワークのアクセス・ポイントからリクエストをコミュニケーション・ネットワークに関連するローカル・サーバの方に向け直し、ローカル・サーバは前記セッションＩＤを、モバイル端末に関連する前記識別子と関連づけ、セッションＩＤをモバイル端末に関連する識別子にマップするデータを記憶する、請求項１に記載の方法。
【請求項９】
無線通信チャンネルを介して複数のモバイル端末のうち１つと通信するためのアクセス・ポイントと、
前記アクセス・ポイントに結合されるローカル・サーバと、
前記アクセス・ポイントとローカル・サーバに結合されて、第１のコミュニケーション・ネットワークを、複数の認証サーバの１つに結合される第２のコミュニケーション・ネットワークに結合させる手段と、
からなる、第１のコミュニケーション・ネットワークにおいて、
前記第１のコミュニケーション・ネットワークの視聴圏内に配置されるモバイル端末によるアクセスのリクエストに応答し、
前記ローカル・サーバは、セッションＩＤを、リクエストしているモバイル端末に関連する識別子と関連づけ、セッションＩＤを、リクエストしているモバイル端末に関連する識別子にマップするマッピング・データを記憶し、
セッションＩＤを含む、認証のリクエストを前記第２のコミュニケーション・ネットワークに結合される前記複数の認証サーバの１つの該当する認証サーバに送信し、
該当する認証サーバから受信された認証メッセージを、リクエストしているモバイル端末に相関させ、
前記受信された認証メッセージに応答し、モバイル端末による前記第１のコミュニケーション・ネットワークへのアクセスを制御する、前記第１のコミュニケーション・ネットワーク。
【請求項１０】
前記リクエストしているモバイル端末に関連する識別子が、リクエストしているモバイル端末の媒体アクセス制御アドレスに対応する、請求項９記載の第１のコミュニケーション・ネットワーク。
【請求項１１】
前記リクエストしているモバイル端末に関連する識別子が、リクエストしているモバイル端末に関連するＩＰアドレスに対応する、請求項９記載の第１のコミュニケーション・ネットワーク。
【請求項１２】
前記アクセス・ポイントで、セッションＩＤをモバイル端末に送信し、認証サーバに送信される認証のリクエスト（その中に埋め込まれたセッションＩＤを含む）をモバイル端末から受信する、請求項９記載の第１のコミュニケーション・ネットワーク。
【請求項１３】
前記ローカル・サーバは、モバイル端末が該当する認証サーバを選択することをリクエストするｗｅｂページを発生し、セッションＩＤをｗｅｂページ内に埋め込み、アクセス・ポイントから前記ｗｅｂページをモバイル端末に送信する、請求項１２記載の第１のコミュニケーション・ネットワーク。
【請求項１４】
前記ローカル・サーバが、ＨＴＴＰＳセッションを開始させるために、サブミット・ボタンに関連するＵＲＬ内にセッションＩＤを埋め込む、請求項１３記載の第１のコミュニケーション・ネットワーク。
【請求項１５】
コミュニケーション・ネットワークへのアクセスを制御するための方法であって、
コミュニケーション・ネットワークの視聴圏内に配置されるモバイル端末からコミュニケーション・ネットワークにアクセスするためのリクエストを受信するステップと、
セッションＩＤを、モバイル端末に関連する識別子と関連づけ、セッションＩＤをモバイル端末に関連する識別子にマップするデータを記憶するステップと、
セッションＩＤを含む、認証リクエストをコミュニケーション・ネットワークからコミュニケーション・ネットワークの外側の該当する認証サーバに送信するステップと、
モバイル端末に関する認証メッセージ（セッションＩＤを含む）を該当する認証サーバから前記コミュニケーション・ネットワーク内に受信するステップと、
前記記憶されたマッピング・データに応答し、受信された認証メッセージをモバイル端末に相関させるステップと、
前記受信された認証メッセージに応答し、モバイル端末からコミュニケーション・ネットワークへのアクセスを制御するステップと、から成る、前記方法。
【請求項１６】
前記関連づけるステップで、セッションＩＤをモバイル端末の媒体アクセス制御アドレスと関連づけ、セッションＩＤをモバイル端末の媒体アクセス制御アドレスにマップするデータを記憶する、請求項１５記載の方法。
【請求項１７】
前記関連づけるステップで、セッションＩＤを、モバイル端末に関連するＩＰアドレスと関連づけ、セッションＩＤをモバイル端末に関連するＩＰアドレスにマップするデータを記憶する、請求項１５記載の方法。
【請求項１８】
前記セッションＩＤを含むリクエストをモバイル端末に送信するステップと、
前記モバイル端末から前記リクエストへの応答（その中に埋め込まれたセッションＩＤを含む）を受信し、認証モバイル端末用に認証サーバに該当するインジケータを受信するステップと、を更に含む、請求項１５記載の方法。
【請求項１９】
前記モバイル端末にリクエストを送信するステップで、モバイル端末が該当する認証サーバを選択することをリクエストするｗｅｂページを発生し、セッションＩＤをｗｅｂページ内に埋め込み、ｗｅｂページをモバイル端末に送信する、請求項１８記載の方法。
【請求項２０】
ＨＴＴＰＳセッションを開始するためにサブミット・ボタンに関連するＵＲＬ内にセッションＩＤが埋め込まれる、請求項１９記載の方法。
【請求項２１】
前記ＨＴＴＰＳセッションがモバイル端末と認証サーバとの間で開始されると、コミュニケーション・ネットワークと認証サーバとの間に通信環境を確立し、よって、認証サーバが認証メッセージをコミュニケーション・ネットワークに送信するステップを更に含む、請求項２０記載の方法。
【請求項２２】
無線通信チャンネルを介して複数のモバイル端末のうち１つと通信するためのアクセス・ポイントと、
アクセス・ポイントに結合されるローカル・サーバと、
前記アクセス・ポイントとローカル・サーバに結合されて、コミュニケーション・ネットワークを、複数の認証サーバの１つに結合される第２のコミュニケーション・ネットワークに結合させる手段と、からなる、コミュニケーション・ネットワークにおいて、
第１のコミュニケーション・ネットワークの視聴圏内に配置されるモバイル端末によるアクセスのリクエストに応答し、
前記ローカル・サーバは、セッションＩＤを、リクエストしているモバイル端末に関連する識別子と関連づけ、セッションＩＤを、リクエストしているモバイル端末に関連する識別子にマップするマッピング・データを記憶し、
セッションＩＤを含む、認証のリクエストを前記第２のコミュニケーション・ネットワークに結合される前記複数の認証サーバの１つの該当する認証サーバに送信し、
該当する認証サーバから受信された認証メッセージを、リクエストしているモバイル端末に相関させ、
受信された認証メッセージに応答し、モバイル端末による前記第１のコミュニケーション・ネットワークへのアクセスを制御する、前記第１のコミュニケーション・ネットワーク。
【請求項２３】
前記リクエストしているモバイル端末に関連する識別子が、リクエストしているモバイル端末の媒体アクセス制御アドレスに対応する、請求項２２記載の第１のコミュニケーション・ネットワーク。
【請求項２４】
前記リクエストしているモバイル端末に関連する識別子が、リクエストしているモバイル端末に関連するＩＰアドレスに対応する、請求項２２記載の第１のコミュニケーション・ネットワーク。
【請求項２５】
前記アクセス・ポイントで、セッションＩＤをモバイル端末に送信し、認証サーバに送信される認証のリクエスト（その中に埋め込まれたセッションＩＤを含む）をモバイル端末から受信する、請求項２２記載の第１のコミュニケーション・ネットワーク。
【請求項２６】
前記ローカル・サーバは、モバイル端末が該当する認証サーバを選択することをリクエストするｗｅｂページを発生し、セッションＩＤをｗｅｂページ内に埋め込み、アクセス・ポイントから前記ｗｅｂページをモバイル端末に送信する、請求項２５記載の第１のコミュニケーション・ネットワーク。
【請求項２７】
前記ローカル・サーバが、ＨＴＴＰＳセッションを開始させるために、サブミット・ボタンに関連するＵＲＬ内にセッションＩＤを埋め込む、請求項２６記載の第１のコミュニケーション・ネットワーク。